【事件の表示】
　特許第３０８７４９３号「ファクシミリ装置」の請求項１に係る特許に対する特許異議の申立てについて、次のとおり決定する。
【結　論】
　訂正を認める。
　特許第３０８７４９３号の請求項１に係る特許を取り消す。
【理　由】
１　手続の経緯
　本件特許第３０８７４９３号に係る出願は、平成５年１月１３日に出願されたものであって、平成１２年７月１４日に特許の設定登録がされ、その後その特許請求の範囲における請求項１に係る発明について、異議申立人林久美子により特許異議の申立てがなされ、取消理由通知がなされ、その指定期間内である平成１３年１０月２５日に訂正請求がなされたものである。
２　訂正の適否
(1)訂正の内容
　訂正事項ａ
　明細書における特許請求の範囲の請求項１中の「されたこと」を「されているとともに、前記符号復号化部を構成したチップは、ハードＣＯＤＥＣとプリントデータ制御部よりなるものであること」と訂正する。
訂正事項ｂ        
明細書の段落【0004】中の「されたこと」を「されているとともに、前記符号復号化部を構成したチップは、ハードＣＯＤＥＣとプリントデータ制御部よりなるものであること」と訂正する。
(2)訂正の目的の適否、新規事項の有無、及び特許請求の範囲の拡張、変更の存否
　上記訂正事項ａは、特許請求の範囲の減縮を目的とした明細書の訂正に該当し、訂正事項ｂは、上記訂正事項ａに付随的に生じる記載不備を解消するものであって、明りょうでない記載の釈明を目的とした明細書の訂正に該当し、いずれも、新規事項の追加に該当せず、実質上特許請求の範囲を拡張し、又は変更するものではない。
(3)むすび
　以上のとおりであるから、上記訂正は、特許法１２０条の４第２項、及び同条第３項において準用する特許法第１２６条第２項及び第３項の規定に適合するので、当該訂正を認める。
３　特許異議の申立ての概要
　異議申立人は、甲第１号証（特開平２−１６８７７０号公報、以下、「刊行物１」という。）、参考資料（特開平４−１８９０５５号公報）を提出し、本件請求項１に係る発明の特許は、特許法第２９条第１項３号、または同法第２９条第２項の規定に違反してなされたものであり、さらに、本件発明の請求項１は明細書の記載と矛盾するから、特許法第３６条第４項、又は同法第３６条第６項の規定により特許を受けることができないと主張している。
４　特許異議の申立てについての判断
(1)本件発明
　本件訂正明細書の請求項１に係る発明は、訂正明細書の特許請求の範囲の請求項１に記載された次のとおりのものである。
「モデム部、符号復号化部、周辺機器制御部をそれぞれ個別のチップで構成したファクシミリ装置であって、前記符号復号化部を構成したチップと周辺機器制御部を構成したチップ部との間には、イメージメモリに接続されたイメージデータバスが設けられて、イメージ信号を伝送するようにされているとともに、前記符号復号化部を構成したチップは、ハードＣＯＤＥＣとプリントデータ制御部よりなるものであることを特徴とするファクシミリ装置。」
(2)引用刊行物
　当審が通知した取消しの理由に引用した刊行物１（前記甲第１号証）には、「画素情報処理方法，装置，システム，及びファクシミリ・システム，データ処理システム」の発明に関し、図面とともに次の事項が記載されている。
　ア「本発明は、高解像度，高品質の画素情報処理及びこの処理を含むファクシミリ・システム，データ処理システムに関する。」（５頁左上欄５行〜７行）
　イ「ＣＣＤ６０４の各センサ素子は、原稿６０１又は白色板６００の主走査方向の一ライン分の画素の濃度情報（第一次濃度情報）を含む光学信号を（中略）アナログ信号に変換する。（中略）このアナログ電気信号は、後述する様に、ラインメモリ６０７を用いてビデオ信号生成部６０８で、画素部分の濃度を示す歪のないデジタル信号に変換される。このデジタル信号は、イメージバスＢ１を介して符号化・復号化部６１０に送られ、ここでイメージメモリ６０９を用いてＣＣＩＴＴの標準規格に基づいて、ＭＨ，ＭＲ等に符号化される」（５頁右下欄３行〜１９行）
　ウ「この符号化されたデジタル信号は、システムバスＢ２，モデムインターフェイス部６２０，モデム６２２，モデムアナログ処理部６２３，電話制御部６２４，ＮＣＵ６２５を介して通信回線に伝送される。」（５頁右下欄１９行〜６頁左上欄３行）
　エ「ファクシミリ・システムが送信局より通信回線６２７を介して符号化されたデジタル信号を受けとり、符号化，復号化部６１０で復号化され、デジタル画像信号に変換される。このデジタル画像信号はビデオ信号生成部６０８を介して感熱プリンタ，レーザプリンタ，液晶プリンタ等の記録部６１５で送られ、受信モータ６０８によって供給される紙６１７等の記録部材に記録される。」（６頁左上欄４行〜１２行）
　オ「第２図は、ビデオ信号生成部６０８を主として示す実施例である。破線で囲まれたビデオ信号生成部６０８は好ましくは、単一の半導体基板に集積化され、ワンチップＬＳＩを構成する。」（６頁右上欄１４行〜１７行）
　カ「ビデオ信号生成部６０８は、アナログ・プロセッサ５０６，デジタルプロセッサ５０７，センサ・インターフェイス５０８，レコーダ・インターフェイス５０９、そして図示しないＣＰＵインターフェイスを含む。（中略）送信モードでは、センサインターフェイス５０８は、ドライバ５１０を介してイメージセンサ６０４を駆動する。」（６頁右上欄１８行〜左下欄６行）
　キ「受信モードでは、ビデオ信号生成部６０８は、符号化，復号化部６１０からデジタル画像信号を受け、処理後、シリアル・デジタル信号は記録部６１５に伝送される。」（６頁右下欄９行〜１２行）
　
(3)対比・判断
　本件請求項１に係る発明（以下、「本件発明」という。）と刊行物１に記載された発明とを対比すると、
　(あ)刊行物１に記載された発明は、ファクシミリ・システムに関し（上記ア参照）、モデム６２２（本件発明のモデム部に相当）、符号化，復号化部６１０（本件発明の符号復号化部に相当）、及びビデオ信号生成部６０８を含み（上記イ参照）、ビデオ信号生成部６０８は、ワンチップＬＳＩで構成され（上記オ参照）、センサインターフェイス５０８により、イメージセンサ（周辺機器）を駆動するものであり（上記カ参照）、本件発明の周辺機器制御部に相当するから、モデム部、符号復号化部、をそれぞれ個別のチップで構成した点を除き、「モデム部、符号復号化部、周辺機器制御部で構成したファクシミリ装置」である点で、本件発明と差異がない。
　(い)刊行物１に記載された発明は、ビデオ信号生成部６０８（周辺機器制御部）で変換したデジタル信号を、イメージバスＢ１を介して符号化・復号化部６１０（符号復号化部）に送り、ここでイメージメモリ６０９を用いて符号化するものである（上記イ、ウ参照）から、符号化・復号化部（符号復号化部）がチップ化されている点を除き「前記符号復号化部を構成したチップと周辺機器制御部を構成したチップ部との間には、イメージメモリに接続されたイメージデータバスが設けられて、イメージ信号を伝送するようにされている」という点で、本件発明と差異がない。
　したがって、両者は、
「モデム部、符号復号化部、周辺機器制御部で構成したファクシミリ装置であって、前記符号復号化部を構成したチップと周辺機器制御部を構成したチップ部との間には、イメージメモリに接続されたイメージデータバスが設けられて、イメージ信号を伝送するようにされているファクシミ装置」である点で一致し、次の点で相違する。
　(a)本件発明は、個別のチップで構成されるものが「モデム部」、「符号復号化部」、及び「周辺機器制御部」であるのに対して、刊行物１に記載された発明は、チップで構成されるのは周辺機器制御部（ビデオ信号生成部）だけであり、「モデム部」、「符号復号化部」については、チップで構成されることの明記がない点。
  (b)本件発明は、符号復号化部を構成したチップが、「ハードＣＯＤＥＣとプリントデータ制御部よりなるものである」のに対して、刊行物１に記載された発明は、符号化，復号化部が、ハードＣＯＤＥＣとプリントデータ制御部でなることについて記載されていない点。
　そこで、前記相違点(a)について検討すると、
　回路装置の一部を集積化して、ワンチップ化することは、当業者に周知であり、そして、どの回路部分を集積化するかは、設計に際して適宜決定し得ることであるから、個別のチップで構成されるものを「モデム部」、「符号復号化部」、及び「周辺機器制御部」とすることは、当業者が格別の創意工夫を要することなく容易になし得ることである。
　次に、相違点(b)について検討すると、
ハードＣＯＤＥＣで構成された符号復号化部は、当業者に周知であるから、符号復号化部をハードＣＯＤＥＣで構成することは、当業者が容易になし得ることである。また、復号化されたファクシミリ画像信号は、プリントデータとしてプリンタに送られるものであり（上記エ、キ参照）、刊行物１には明記されていないが、復号化部（符号復号化部）に対応してプリントデータ制御部が必要となることは明らかであること、そして、回路装置の一部を集積化してワンチップ化する際には、動作上関連の近い回路部分を集積化することが設計上当然に考慮されるものであること、等を総合考慮すると、復号化部（符号復号化部）とこれと動作上間連の近いプリントデータ制御部をワンチップ化すること、すなわち、符号復号化部を構成したチップを「ハードＣＯＤＥＣとプリントデータ制御部よりなるものである」とすることは、当業者が格別の創意工夫を要することなく容易になし得ることである。
　なお、この点について、特許権者は、「符号復号化部を構成したチップにプリントデータ制御部を内蔵させたことによって、プリントデータ制御部は、ハードＣＯＤＥＣの復号化動作に対応して、印字データと転送クロックを出力することをチップ内で行うことができるから、回路構成を簡単化できる。しかも、符号復号化部の構成に対応したプリントデータ制御部を組み合わせてチップ化できるから、機種展開を容易にしているものである」と主張しているが、これらの効果は、刊行物１に記載された発明、及び前記周知技術から当業者が容易に予測可能であって、格別のものではない。
(4)むすび
　したがって、本件訂正明細書の請求項１に係る発明についての特許は、拒絶の査定をしなければならない特許出願に対してなされたものと認める。
　よって、特許法の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。           
【異議決定日】
平成１３年１２月１１日（２００１．１２．１１）
【訂正の要旨】
　訂正事項ａ
　明細書における特許請求の範囲の請求項１中の「されたこと」を、特許請求の範囲の減縮を目的として、「されているとともに、前記符号復号化部を構成したチップは、ハードＣＯＤＥＣとプリントデータ制御部よりなるものであること」と訂正する。
訂正事項ｂ
明細書の段落【０００４】中の「されたこと」を、明りょうでない記載の釈明を目的として、「されているとともに、前記符号復号化部を構成したチップは、ハードＣＯＤＥＣとプリントデータ制御部よりなるものであること」と訂正する。
（５４）【発明の名称】
ファクシミリ装置
（５７）【特許請求の範囲】
　【請求項１】　モデム部、符号復号化部、周辺機器制御部をそれぞれ個別のチップで構成したファクシミリ装置であって、前記符号復号化部を構成したチップと周辺機器制御部を構成したチップとの間には、イメージメモリに接続されたイメージデータバスが設けられて、イメージ信号を伝送するようにされているとともに、前記符号復号化部を構成したチップは、ハードＣＯＤＥＣとプリントデータ制御部よりなるものであることを特徴とするファクシミリ装置。
【発明の詳細な説明】
　【０００１】
　【産業上の利用分野】
　本発明は、画像データを送受信するファクシミリ装置、特に、ファクシミリ装置のチップ構成に関するものである。
　【０００２】
　【従来の技術】
　ファクシミリ装置は、原稿を読み取りながら送信し、また、受信しながら印字出力できるので、文書、図形を即時的に送受信できるので、広く普及し、一般家庭にまで利用されるようになりつつある。それだけに利用の形態はさまざまであり、簡易型が開発される一方、高速、高機能、多機能化も進んでいる。
　ファクシミリ装置の開発は、このような多様な要求に対処して、多機種への機種展開が要求されている。新規機種の開発には、機種の多様化によって、機種ごとにハードウェア、ソフトウェアの開発をする必要があり、機種が多くなると、開発に時間がかかるという問題があった。
　【０００３】
　【発明が解決しようとする課題】
　本発明は、上述した問題点を解決するためになされたもので、チップ構成を工夫することによって、機種展開が容易なファクシミリ装置を提供することを目的とするものである。
　【０００４】
　【課題を解決するための手段】
　本発明は、モデム部、符号復号化部、周辺機器制御部をそれぞれ個別のチップで構成したファクシミリ装置であって、前記符号復号化部を構成したチップと周辺機器制御部を構成したチップとの間には、イメージメモリに接続されたイメージデータバスが設けられて、イメージ信号を伝送するようにされているとともに、前記符号復号化部を構成したチップは、ハードＣＯＤＥＣとプリントデータ制御部よりなるものであることを特徴とするものである。
　【０００５】
　【作用】
　本発明によれば、モデム部、符号復号化部、周辺機器制御部をそれぞれ個別のチップで構成したことによって、チップを差し替えることにより機種展開を行なうことができ、開発が容易となる。
　【０００６】
　【実施例】
　図１は、本発明のファクシミリ装置の一実施例の要部の概略構成図である。図中、１はＮＣＵ（網制御部）、２はモデム（チップＡ／チップＢ）、３は画像メモリ、４はＲＡＭ、５はＲＯＭ、６はＣＰＵ、７はイメージメモリ、８はハードＣＯＤＥＣ部（チップＤ）、９はハードＣＯＤＥＣ、１０はプリントデータ制御部、１１は周辺機器制御部（チップＣ）、１２はセンサドライバ、１３は画像処理部、１４，１５はラインメモリ、１６はイメージ−ＲＬ符号変換部、１７はＲＬ−イメージ符号変換部、１８はイメージ出力部、１９はサーマルヘッド印字制御部、２０はモータドライバ、ＳＷ１〜ＳＷ５は信号切換部である。ＮＣＵ１は、図示しない回線との接続制御を行なう。
　【０００７】
　モデム２は、ファクシミリ信号を変調してＮＣＵ１を介して回線に送出し、また、回線から受信した信号を復調するものであり、ワンチップで構成され、この実施例では、最高速度が１４．４ｋｂｐｓおよび９．６ｋｂｐｓの通信速度（ＣＣＩＴＴ勧告Ｖ．１７、Ｖ．２９）に対応できる。このチップをチップＡと呼ぶことにする。また、１４．４ｋｂｐｓの通信速度を要求しない機種においては、例えば、９．６ｋｂｐｓを最高通信速度（ＣＣＩＴＴ勧告Ｖ．２９）としたチップを用意してこれを差し替えるようにできる。図では、これをチップＢとして図示した。なお、いずれのチップでも、バイナリの通信手順信号（ＣＣＩＴＴ勧告Ｔ．３０）を変復調するためのＦＳＫのモデム機能（ＣＣＩＴＴ勧告Ｖ．２１）を有している。
　【０００８】
　画像メモリ３は、画像データを符号化した形で記憶するＲＡＭであり、符号メモリということができる。ＲＡＭ４は、ワーキングＲＡＭであり、一次的なデータをメモリする。ＲＯＭ５は、固定データやプログラムを蓄積している。ＣＰＵ６は、ＲＯＭ５のプログラムを実行し、また、図示しない操作部からの指令等を判別してファクシミリ装置各部の制御を行なう。
　【０００９】
　イメージメモリ７は、ハードＣＯＤＥＣ９により符号化する際のビットイメージデータを蓄積し、また、ハードＣＯＤＥＣ９で復号化したビットイメージデータを蓄積する。メモリ容量は、順次メモリを更新しながら符号化・復号化が行なわれるので、６ライン程度あれば十分である。したがって、イメージメモリ７は、ハードＣＯＤＥＣ部８のチップに組み込むようにしてもよい。しかし、イメージメモリ７の例えば、０番地から２５６バイト（２０４８ビット分）、すなわち、１ライン分は、全白のデータが蓄積されて、後述する参照ラインとして利用される。この２５６バイト分はＲＯＭで構成してもよく、あるいは、ＲＡＭとして構成し、ファクシミリ装置の起動時に全白のデータを書き込むようにしてもよい。つまり、１ライン分の全白データが、イメージメモリに固定的に記憶されているのである。プリンタとして、ＬＥＤプリンタやレーザプリンタ等、高速のプリンタを用いる場合には、イメージメモリ７には、ページメモリを用いることもできる。ページメモリは、イメージメモリ７の増設メモリとして構成するようにしてもよい。
　【００１０】
　プリントデータ制御部１０は、ハードＣＯＤＥＣ９の復号化動作に対応して、印字データと転送クロックを出力する。ハードＣＯＤＥＣ９とプリントデータ制御部１０よりなるハードＣＯＤＥＣ部は、ハードウェア、例えば、ＤＳＰとして、ワンチップで構成されている。このチップをチップＤとして表す。ハードＣＯＤＥＣ９は、１４．４ｋｂｐｓの符号化・復号化が可能な高速ＣＯＤＥＣである。ハードＣＯＤＥＣ９では、イメージ出力部１８からの入力データのほか、イメージ−ＲＬ符号変換部１６等からのＲＬデータをＭＨ，ＭＲ，ＭＭＲに符号化し、また、ＭＨ，ＭＲ，ＭＭＲデータをＲＬデータに復号化できる。
　【００１１】
　周辺機器制御部１１は、センサからの読み取りデータおよびプリンタのための印字データの処理やモータ制御を行なうもので、ＡＳＩＣとしてワンチップで構成されている。このチップをチップＣとして表すことにする。センサドライバ１２は、図示しないＣＣＤセンサに駆動信号を送り、画信号を受け取る。画像処理部１３は、センサドライバからの画像データを、２値化処理、あるいは、ディザ中間調処理、あるいは、誤差拡散法による中間調処理など、適当な画像処理を行なう。画像処理された１ラインのデータは、信号切換部ＳＷ１とＳＷ２を反転させて、ラインメモリ１４と１５とに交互に書き込まれ、交互に読み出されて、１ラインごとの画像データを得ることができる。画像データは、信号切換部ＳＷ３で選択されて、イメージ−ＲＬ符号変換部１６で、ＲＬ符号に変換され、画像メモリ３に蓄積できる。また、画像メモリ３に蓄積した画像データを読み出して、イメージ−ＲＬ変換部１６でイメージデータに変換して信号切換部ＳＷ４を介して、サーマルヘッド印字制御部１９に加えられ、印字パルス信号を図示しないサーマルプリンタに出力するとともに、ＳＷ５に印字データと転送クロックを出力して、図示しないサーマルプリンタで印字出力される。モータドライバ２０は、送信の際の原稿の駆動や、記録紙の駆動を行なうモータの制御を行なう。
　【００１２】
　信号切換部ＳＷ３の選択により、ＲＬ符号変換をすることなく、ラインメモリ１４，１５の出力を、直接サーマルヘッド印字制御部１９に加えることもできる。イメージ出力部１８に導入されたラインメモリ１４，１５の出力をイメージメモリ７に導入しながら、ハードＣＯＤＥＣ９で符号化し、画像メモリ３に蓄積したり、モデム２からＮＣＵ１を介して回線に送出することができる。画像メモリ３に蓄積する場合には、ＭＭＲに符号化して蓄積することができる。ＭＭＲデータに符号化する場合には、第１番目のラインは、全白ラインを仮想してＭＲデータに符号化される。この場合、全白ラインとしては、イメージメモリ７の０番地から２５６バイト分の領域に格納された全白データを参照ラインとして符号化される。
　【００１３】
　最高通信速度が９．６ｋｂｐｓ以下である場合には、ＲＯＭ５に格納されたプログラムによって、符号化・復号化を行なうことができる。これをソフトＣＯＤＥＣと呼ぶ。ソフトＣＯＤＥＣで、ＲＬデータをＭＨ，ＭＲ，ＭＭＲデータに符号化し、また、ＭＨ，ＭＲ，ＭＭＲデータをＲＬデータに復号化できる。ソフトＣＯＤＥＣに用いるイメージメモリとしては、ＲＡＭ４が用いられる。ソフトＣＯＤＥＣの起動時には、ＲＡＭ４の所定のアドレスに、１ライン分の全白のデータが書き込まれ、同様に参照ラインとして利用される。
　【００１４】
　ＣＯＤＥＣを２つ設けたことによりデュアル処理が容易となる。１つの処理でハードＣＯＤＥＣが使用中であれば、もう１つの処理は、ソフトＣＯＤＥＣを用いることができる。例えば、画像メモリ３にＭＭＲで蓄積された画像データをハードＣＯＤＥＣを用いて、１４．４ｋｂｐｓで受信中に、送信原稿を読み込み、ソフトＣＯＤＥＣを用いて、ＭＭＲで画像メモリ３に蓄積するというように、デュアル処理が可能である。ハードＣＯＤＥＣとソフトＣＯＤＥＣを設けたことにより、高速の処理はハードＣＯＤＥＣが担当できる。また、ハードＣＯＤＥＣの使用中は、ソフトＣＯＤＥＣでデュアル処理に対処でき、ハードＣＯＤＥＣを２つ備える場合に比較して、装置のコストアップを抑えることができる。印字処理や蓄積処理でハードＣＯＤＥＣの使用中に着信した場合には、９．６ｋｂｐｓを通信最高速度としてＤＩＳで宣言するようにすれば、ソフトＣＯＤＥＣを用いて受信できる。
　【００１５】
　図２は、図１で説明した実施例のファクシミリ装置を基本として構成した第１の展開機種のファクシミリ装置のブロック図である。図中、１はＮＣＵ（網制御部）、４はＲＡＭ、５はＲＯＭ、６はＣＰＵ、２１は操作パネル、２２はクロック部、２３はＩ／Ｏ、２４はカッタ、２５はＣＣＤセンサ、２６は光源、２７はステッピングモータ、２８はサーマルヘッド、２９はデータバス、３０はイメージデータバスである。チップＡは、最高速度が１４．４ｋｂｐｓの変調・復調が可能なモデムのチップであり、ＮＣＵ１を介して、回線に接続される。チップＣは、読取および印字のための入出力データの制御を行なう周辺機器制御部のチップであり、データバス２９とは、ＲＬデータで信号の授受を行なう。チップＤは、ハードＣＯＤＥＣ部のチップである。チップＣとチップＤとの間には、イメージデータバス３０が設けられ、イメージ信号を伝送する。
　【００１６】
　ＲＯＭ５には、この機種に対応するプログラムや固定データが格納されており、ファクシミリソフトウェアライブラリとして用意されたものである。ソフトＣＯＤＥＣも有している。操作パネル２１は、ファクシミリ装置に対して外部からの入力信号を与えるものであり、クロック部２２は、クロックパルスのカウントを行なって、時刻または日時のデータを出力するものである。カッタ２４は、Ｉ／Ｏ２３を介して与えられる切断指令により、記録紙の切断を行なう。ＣＣＤセンサ２５は、光源２６により照明された原稿データを読み取るためのものであり、ステッピングモータ２７は、原稿や記録紙を駆動するものである。サーマルヘッド２８は、発熱素子のアレイとして構成されており、印字データに従って、感熱記録を行なうものである。
　【００１７】
　したがって、この機種は、最高通信速度が１４．４ｋｂｐｓであり、感熱記録紙を用いた機種である。また、ドナーフィルムを用いた熱転写方式による記録を行なう機種への展開も容易である。この場合には、カット紙を用いるため、Ｉ／Ｏ２３とカッタ２４は不要となる。
　【００１８】
　図３は、図１で説明した実施例のファクシミリ装置を基本として構成した第２の展開機種のファクシミリ装置のブロック図である。図中、図２と同様な部分には同じ符号を付して説明を省略する。３１はＬＥＤプリンタ、３２はページメモリである。第１の展開機種と同様に、最高通信速度は１４．４ｋｂｐｓである。ＬＥＤプリンタ３２としては、レーザプリンタや他の高速プリンタを用いることができる。
　【００１９】
　図４は、図１で説明した実施例のファクシミリ装置を基本として構成した第３の展開機種のファクシミリ装置のブロック図である。図中、図２と同様な部分には同じ符号を付して説明を省略する。この機種では、９．６ｋｂｐｓを通信最高速度とし、感熱記録紙を用いたものである。変調・復調には、ハードＣＯＤＥＣを用いる必要はないので、チップＤは搭載しない。サーマルヘッドへの印字制御は、チップＣにより行なわれる。
　【００２０】
　図５は、図２乃至図４で説明した機種展開のソフトウェア部分を概念的に図示した説明図である。図中、３３は機種対応アプリケーションソフトウェア、３４はＩ／Ｏ制御ソフトウェア、３５は駆動回路、３６はモデムである。図２乃至図４で説明した機種展開に対応して、ソフトウェアの部分も、機種対応アプリケーションソフトウェア３３が適用される。この機種対応アプリケーションソフトウェア３３は、Ｉ／Ｏ制御ソフトウェア３４を介して上述したハードウェアを制御する。Ｉ／Ｏ制御ソフトウェア３４としては、コピー制御、メモリへのデータの蓄積、プリンタ、他のＣＰＵとの通信等を行なうためのソフトウェアがソフトウェアライブラリとして用意されており、それぞれのソフトウェアが必要な駆動回路３５を制御し、または、駆動回路３５に指令し、それぞれの機能を実現する。駆動回路３５は、図１乃至図４で説明したハードウェアであり、例えば、ハードＣＯＤＥＣ９や、プリントデータ制御部１０、サーマルヘッド印字制御部１９、画像メモリ３、各種のスイッチ類等を含む。また、機種対応アプリケーションソフトウェア３３は、モデム３６を直接制御するとともに、ソフトＣＯＤＥＣとしての機能も有する。
　【００２１】
　機種対応アプリケーションソフトウェア３３およびＩ／Ｏ制御ソフトウェア３４は、ＲＯＭ５として供給される。これらのソフトウェアは、機種に応じて、機能を取捨選択して搭載させることができる。このとき、機種対応アプリケーションソフトウェア３３およびＩ／Ｏ制御ソフトウェア３４を別々のＲＯＭとして構成し、Ｉ／Ｏ制御ソフトウェア３４は共通として、全ての機種に搭載し、機種対応アプリケーションソフトウェア３３のみを機種毎に交換可能に構成することができる。もちろん、Ｉ／Ｏ制御ソフトウェア３４も交換可能に構成してもよいし、両方のソフトウェアを１つのＲＯＭに収納してもよい。また、Ｉ／Ｏ制御ソフトウェア３４は、上述の各機能毎のソフトウェア部分と、駆動回路３５を直接制御するデバイスドライバ部分とに分けて構成することも可能である。これらのソフトウェア構成は、周知の技法により適宜構成することができる。
　【００２２】
　【発明の効果】
　以上の説明から明らかなように、本発明によれば、モデム部、符号復号化部、周辺機器制御部をそれぞれ個別のチップで構成したことによって、チップを差し替えることにより機種展開を行なうことができるという効果がある。
【図面の簡単な説明】
　【図１】
　本発明のファクシミリ装置の一実施例の要部のブロック図である。
　【図２】
　第１の展開機種のファクシミリ装置のブロック図である。
　【図３】
　第２の展開機種のファクシミリ装置のブロック図である。
　【図４】
　第３の展開機種のファクシミリ装置のブロック図である。
　【図５】
　機種展開のソフトウェア部分を概念的に図示した説明図である。
　【符号の説明】
　１　ＮＣＵ（網制御部）
　２　モデム（チップＡ／チップＢ）
　６　ＣＰＵ
　７　イメージメモリ
　８　ハードＣＯＤＥＣ部（チップＤ）
　１１　周辺機器制御部（チップＣ）
　３３　機種対応アプリケーションソフトウェア
　３４　Ｉ／Ｏ制御ソフトウェア
　３５　駆動回路
　３６　モデム